(57)【特許請求の範囲】
【請求項１】
本体ユニットと、
長手方向の両端部に設けられる取付部材により前記本体ユニットに取り付け及び取り外し可能なカバー部材と、
点灯装置と、該点灯装置に接続された光源ユニットとを備え、前記カバー部材のカバー係止部の内側に前記光源ユニットの弾性部材が固定され、前記カバー部材とともに前記本体ユニットに取付けた状態で前記本体ユニットと前記カバー部材との間に配置される発光装置と、
前記カバー部材を前記本体ユニットに取付けた状態及び前記本体ユニットから取り外した状態で前記本体ユニットの中央部に取り付けられている係止部材と、を備え、
前記カバー部材には、前記係止部材に係止可能な前記カバー係止部を備えることを特徴とする、照明器具。
【請求項２】
前記係止部材は前記取付部材の取付向きとは異なる外向きに突出する爪形状を有し、
前記カバー係止部は内向きに突出する爪形状を有することを特徴とする、請求項１に記載の照明器具。
【発明の詳細な説明】
【技術分野】
【０００１】
本発明は、照明器具に関する。
【背景技術】
【０００２】
蛍光灯やＬＥＤ照明、有機ＥＬ照明等の照明器具には、照明の明るさを調整する調光装置が備えられていることがある。調光装置は例えば壁面等に配置され、調光装置と点灯装置とが信号先により接続されている。使用者が調光装置を操作することで、調光装置からの信号（明るさを制御するための電気信号）が信号線を通じて点灯装置に伝達される。そして、点灯装置は、受け取った信号に基づいて、照明の明るさを調整するようになっている。
【０００３】
このような照明器具に関連して、特許文献１に記載の技術が知られている。特許文献１には、器具本体及び取付部材にそれぞれ設けた嵌合構造によって光源ユニットを器具本体に取り付ける照明器具が記載されている。
【先行技術文献】
【特許文献】
【０００４】
【特許文献１】特開２０１４−１１６２９９号公報
【発明の概要】
【発明が解決しようとする課題】
【０００５】
特許文献１に記載のように長尺の光源ユニットを取り付けるものでは、嵌合構造によっては、撓みが生じる恐れがある。
【０００６】
本発明は撓みが生じる恐れを抑制した照明器具を提供することを目的とする。
【課題を解決するための手段】
【０００７】
上記課題を解決するため、本発明は、本体ユニットと、長手方向の両端部に設けられる取付部材により前記本体ユニットに取り付け及び取り外し可能なカバー部材と、点灯装置と、該点灯装置に接続された光源ユニットとを備え、前記カバー部材のカバー係止部の内側に前記光源ユニットの弾性部材が固定され、前記カバー部材とともに前記本体ユニットに取付けた状態で前記本体ユニットと前記カバー部材との間に配置される発光装置と、前記カバー部材を前記本体ユニットに取付けた状態及び前記本体ユニットから取り外した状態で前記本体ユニットの中央部に取り付けられている係止部材と、を備え、前記カバー部材には、前記係止部材に係止可能な前記カバー係止部を備える。
【発明の効果】
【０００８】
本発明によれば、撓みが生じる恐れを抑制した照明器具を提供することができる。
【図面の簡単な説明】
【０００９】
【図１】第１実施形態の照明器具の外観を示す下方からの斜視図である。
【図２】第１実施形態の照明器具の本体ユニットからカバー部材を取り外すときの様子を示す図であり、（ａ）は使用者がカバー部材を掴んだ状態、（ｂ）は使用者がカバー部材を下方向に引っ張って取り外した状態を示す。
【図３】第１実施形態の照明器具の本体ユニットからカバー部材を取り外した状態を示す図である。
【図４】図３の状態において、本体ユニット１０側の信号線及び電源線と、カバー部材２０側の信号線及び電源線との接続をそれぞれ解除した状態を示す図である。
【図５】（ａ）は図２（ａ）のＡ部拡大図であり、（ｂ）〜（ｆ）は（ａ）の変形例を示す図である。
【図６】図１の長手方向を見た正面図である。
【図７】図６のＡ−Ａ断面図である。
【図８】図３，４から電源線等を除いた状態の斜視図である。
【図９】図８の長手方向を見た正面図である。
【図１０】図９のＡ−Ａ断面図である。
【図１１】（ａ）〜（ｆ）は係止部材を示す図である。
【発明を実施するための形態】
【００１０】
以下、図面を参照しながら、本発明を実施するための形態（本実施形態）を説明する。初めに、本実施形態の照明器具の全体構成（内部構成を含む）を説明し、次いで、本実施形態の照明器具に備えられるカバー部材の形状について説明する。
【００１１】
図１は、第１実施形態の照明器具１００の外観を示す下方からの斜視図である。照明器具１００は、天井１５０に取り付けられている。照明器具１００は、金属製の本体ユニット１０と、本体ユニット１０に取り付けられるとともに、円弧形状を有するカバー部材２０（例えば樹脂製）とを備えている。本体ユニット１０の内部（カバー部材２０が取り付けられることで形成される空間、以下同じ）には、外部に放出光を生み出す光源ユニット２７（図３等を参照しながら後記する）等が備えられている。
【００１２】
図２は、第１実施形態の照明器具１００の本体ユニット１０からカバー部材２０を取り外すときの様子を示す図であり、（ａ）は使用者の手Ｈがカバー部材２０を掴んだ状態、（ａ）は使用者の手Ｈがカバー部材２０を下方向に引っ張って取り外した状態を示す。なお、図２（ｂ）に示すＡ部については、図５を参照しながら後記するため、図２の説明では、Ａ部の説明を省略する。また、図２（ｂ）では、図示の簡略化のために、本体ユニット１０の内部に収容されている各部材の図示を省略している。
【００１３】
図２（ａ）に示すように、使用者は、カバー部材２０の側面に設けられている凹み２１を手Ｈによって掴むことで、使用者がカバー部材２０を摘み易くなっている。そして、この状態で、使用者がカバー部材２０を下方向に引っ張ることにより、カバー部材２０が本体ユニット１０から取り外される。これにより、カバー部材２０が本体ユニット１０から分離されるようになっている。なお、カバー部材２０は、取付部材５０（図８参照）により、本体ユニット１０に取り付けられている。
【００１４】
図３は、第１実施形態の照明器具１００の本体ユニット１０からカバー部材２０を取り外した状態を示す図である。本体ユニット１０には、電源端子台１２が固定されている。また、カバー部材２０の内側には、点灯装置２６と、点灯装置２６に接続された光源ユニット２７とが固定されている。点灯装置２６は光源ユニット２７を制御するものである。具体的には、点灯装置２６は、光源ユニット２７の点灯や消灯、光源ユニット２７から発せられる光の強さ等を制御するようになっている。なお、光源ユニット２７としては、例えばＬＥＤや有機ＥＬ、蛍光管等が適用可能であり、中でも、省エネルギ化の観点から、ＬＥＤが好ましい。
【００１５】
電源端子台１２には、図示しない交流電源と接続される電源線１３が接続されている。さらに、電源端子台１２には、図示しないアース線が接続されている。また、電源端子台１２と点灯装置２６とは、電源端子台１２の側からこの順で、電源線１４、電源コネクタ１５、電源コネクタ２４及び電源線２５を介して接続されている。これにより、交流電源からの電力が点灯装置２６に供給されるようになっている。これにより、電源装置から点灯装置２６に供給された電力は、光源ユニット２７の駆動に用いられるようになっている。
【００１６】
また、点灯装置２６には、信号線を介して、図示しない調光装置が接続されている。具体的には、点灯装置２６と調光装置とは、点灯装置２６の側からこの順で、信号線２３、信号端子台２２、信号接続部１６（図４参照。図３では図示せず。）及び信号線１１を介して接続されている。使用者が調光装置を操作（例えば調光装置を構成するツマミを回転させる等）することで、その操作の程度に応じた電気信号が発生する。そして、発生した電気信号が、信号線１１や信号線２３等を通じて点灯装置２６に伝達されることにより、点灯装置２６が、その電気信号に応じて光源ユニット２７の駆動（明るさ等）を制御するようになっている。
【００１７】
図４は、図３の状態において、本体ユニット１０側の信号線１１及び電源線１４と、カバー部材２０側の信号線２３及び電源線２５との接続をそれぞれ解除した状態を示す図である。例えば、照明器具１００のメンテナンス後、図４の状態にあるとき、カバー部材２０を本体ユニット１０に取り付ける際には、以下の手順が適用可能である。
【００１８】
まず、図４に示すようにカバー部材２０を配置し、信号線１１の端部である信号接続部１６と、信号線２３の端部にある信号端子台２２とが接続されるようにする。これにより、調光装置と点灯装置２６との電気的接続が図られる。さらには、電力線１４の端部である電源コネクタ１５と、電源線２５の端部にある電源コネクタ２４とが接続されるようにする。これにより、交流電源と点灯装置２６との電気的接続が図られる。そして、最後に、図２において説明した手順と逆の点順でカバー部材２０を本体ユニット１０に取り付けることで、照明器具１００の使用準備が整うことになる。
【００１９】
図３及び図４に示すように、第１実施形態の照明器具１００では、信号端子台２２は、本体ユニット１０及びカバー部材２０のいずれにも固定されていない。即ち、信号端子台２２は、本体ユニット１０及びカバー部材２０に対して、不支持状態になっている。これにより、信号端子台２２が本体ユニット１０に固定されていた従来の照明器具（たとえば前記の特許文献１参照）とは異なり、信号端子台２２と信号接続部１６との接続を、本体カバー２０の近傍で行うことができる。従って、天井１５０等の位置に対して低い位置で、信号接続部１６と信号端子台２２との接続や脱着をすることができるようになる。これにより、手許を確認しながら接続や脱着を行うことができるようになり、照明器具１００のメンテナンス等が容易になる。
【００２０】
また、従来、本体ユニット１０に固定していた信号端子台２２を本体ユニット１０から独立（即ち）分離させることで、端子台として、電源端子台１２のみが本体ユニット１０に固定されることになる。使用者が調光機能を不要とする場合でも、図３や図４等に示す本体ユニット１０を流用することができる。従って、本体ユニット１０の汎用性を高めることができ、様々なカバー部材２０（点灯装置２６や光源ユニット２７等を備える）に対して、単一種の本体ユニット１０を用意すればよいことになる。
【００２１】
さらには、信号端子台２２を本体ユニット１０に固定していた従来の照明器具では、点灯装置２６がカバー部材２０側に設けられていたため、信号端子台２２と点灯装置２６とを接続する信号線の間に、信号コネクタが設けられていた。しかし、第１実施形態の照明器具１００のように、信号端子台２２を本体ユニット１０から分離させて独立のものとすることで、信号端子台２２に信号接続部１６を直接接続すればよくなる。これにより、従来用いられていた信号コネクタを削減することができる。
【００２２】
次に、第１実施形態の照明器具１００を構成するカバー部材２０について説明する。
【００２３】
図５は、（ａ）は図２（ｂ）のＡ部拡大図であり、（ｂ）〜（ｆ）は（ａ）の変形例を示す図である。図５（ａ）に示すように、カバー部材２０の側面には、曲線を含んだ形状である、Ｒ形状の凹み２１が形成されている。凹み２１は、カバー部材２０の外側に張り出す凹み上端部２０ａと、カバー部材２０の同じく外側に張り出す凹み下端部２０ｂとの間に形成されている。
【００２４】
なお、図５では図示していないが、カバー部材２０の左側面にも、同様の凹み２１が設けられている。即ち、カバー部材２０の外表面に形成されている凹み２０は、カバー部材２０に含まれる円弧形状を含み、かつ、光源ユニット２７の光軸に垂直な方向（図５の紙面に垂直な方向）の断面視で、光軸を中心として左右に少なくとも一つの凹みが形成されている。
【００２５】
カバー部材２０の側面をこのような形状にすることで、使用者の手Ｈがカバー部材２０を掴み易くなり（図２参照）、カバー部材２０を本体ユニット１０から取り外し易くなる。即ち、凹み２１（凹み上端部２０ａと凹み下端部２０ｂとの間に形成される）の部分に指を引っ掛けて手Ｈでカバー部材２０を掴み、下方への力を付与することで、凹み２１によって指が滑ることなく、カバー部材２０を取り外すことができる。
【００２６】
また、掴み易さの観点からは、カバー部材２０の側面の形状を、上方に向かって窄まるテーパ形状とすることも考えられる。しかし、上方に向かって窄まるテーパ形状とすると、凹み上端部２０ａが外側に張り出していない形状になり、カバー部材２０の側面に塵埃が堆積し易くなる。しかし、第１実施形態の照明器具１００のように凹み２１が設けられ、カバー部材２０の外側に張り出す凹み上端部２０ａと、同じく外側に張り出す凹み下端部２０ｂが形成されることで、凹み２１には塵埃が堆積しにくくなる。
【００２７】
さらには、カバー部材２０の側面に凹み２１を設けることで、上下方向に鉛直な側面（凹み２１が無い側面）を有するカバー部材２０と比べて、カバー部材２０の表面積を増やすことができる。そして、カバー部材２０の表面積が増えることで、照明器具１００の発光面積が増えることになる。
【００２８】
特に、これによる効果は、光源ユニット２７として、ＬＥＤ等の指向性の高い発光体を用いた場合に大きくなる。具体的には、光源ユニット２７が例えば指向性の高いＬＥＤである場合、カバー部材２０の左右方向には光が向きにくく、カバー部材２０の左右近傍では明るさが不足しがちである。しかし、カバー部材２０の側面に凹み２１を設けることで、カバー部材２０の表面積、即ち照明装置１００の発光面積を増やすことができる。特に、表面積は、カバー部材２０の側面で増えるため、暗くなりがちな左右方向においても、十分な明るさを確保することができる。
【００２９】
また、本実施形態の照明装置１００では、凹み２１の形状はＲ形状になっている。そのため、凹み２１が曲線のみによって構成されるため、使用者に対して柔らかい印象を与え、凹み２１の意匠性が優れる。また、曲線のみによって構成されるため、より均一な光を外部に放出することができる。
【００３０】
本実施形態の照明装置１００では、凹み２１の形状は、前記のようにＲ形状になっている。しかし、凹み２１の形状は図５（ａ）の形状に限られず、例えば図５（ｂ）〜（ｆ）に示す形状としてもよい。
【００３１】
例えば、凹みは、図５（ｂ）に示す、断面くの字形状の凹み２１Ａとしてもよい。このような形状にすることで、凹み２１を構成する斜面の長さを長く確保することができ、掴み易さがより向上する。また、斜面の長さが長くなるためカバー部材２０Ａの表面積がより大きくなり、発光面積がより大きくなる。
【００３２】
また、例えば、凹みは、図５（ｃ）に示す、下端部２０Ｂｂが、上端部２０Ｂａよりも、カバー部材２０Ｂの外側に張り出した凹み２１Ｂとしてもよい。このような形状にすることで、使用者によってカバー部材２０Ｂが掴まれたとき、下端部２０Ｂｂに指が引っかかり易い。そのため、使用者がカバー部材２０Ｂをより容易に取り外し易くなる。また、図５（ａ）に示すカバー部材２０と同様に、断面が円弧状になっているため、塵埃がより堆積しにくい。
【００３３】
さらに、例えば、凹みは、図５（ｄ）に示す、台形の上底のような断面の凹み２１Ｃとしてもよい。このような形状にすることで、図５（ｂ）と同様に、発光面積をより大きくすることができ、また、掴み易くすることができる。
【００３４】
また、例えば、凹みは、図５（ｅ）に示す、図５（ｄ）で説明した台形の面取りをしたような形状の凹み２１Ｄとしてもよい。このような形状にすることで、図５（ａ）に示すカバー部材２０と同様に、より均一な光を外部に放出することができる。また、図５（ｃ）と同様に、塵埃がより堆積しにくい。
【００３５】
さらに、例えば、凹みは、図５（ｆ）に示す、図５（ｃ）で説明した凹み２１Ｂとは逆に、上端部２０Ｅａが、下端部２０Ｅｂよりも、カバー部材２０Ｅの外側に張り出した凹み２１Ｅとしてもよい。このような形状にすることで、上端部２０Ｅａがより外側に張り出し、しかも、断面が円弧状になっているため、凹み２１Ｅへの塵埃の堆積がより確実に防止される。
【００３６】
これらのうち、カバー部材２０に含まれる円弧形状を含み、かつ、光源ユニット２７の光軸に垂直な方向（図５の紙面に垂直な方向）の断面視で、凹み上端部（図５（ａ）の場合、凹み上端部２０ａ）と凹み下端部（同図の場合、凹み下端部２０ｂ）とを結ぶ線分は、光源ユニット２７（図５では図示していない）の光軸と平行になっているものが好ましい。ここで、光軸とは、光源ユニット２７から発せられる光の軸のことをいい、図５では、ガイド部３１が延在する方向と同方向に伸びている。図５に示すカバー部材のうち、好ましいものの具体例としては、図５（ａ）に示されるカバー部材２０や、図５（ｂ）に示されるカバー部材２０Ａ、図５（ｄ）に示されるカバー部材２０Ｃ、図５（ｅ）に示されるカバー部材２０ｅである。これにより、使用者によるカバー部材２０等の持ち易さと、カバー部材２０等への塵埃の堆積のしにくさとをバランスよく両立させることができる。
【００３７】
図５（ａ）〜（ｅ）に示すように、カバー部材２０の上端、かつガイド部３１の先端にはカバー爪部２０ｃを有している。カバー爪部２０ｃは、カバー部材２０の内側方向へ突出している。また、カバー爪部２０ｃの内側には、弾性部材３５が設けられている。
【００３８】
図６は、図１の長手方向を見た正面図であり、図７は図６のＡ−Ａ断面図である。図８は、図３，４から電源線１３等を除いた状態の斜視図である。図９は、図８の長手方向を見た正面図であり、図１０は図９のＡ−Ａ断面図である。
【００３９】
カバー部材２０は、カバー部材２０の上面の長手方向の両端部に設けられる取付部材５０により本体ユニット１０に取り付けられる。本体ユニット１０の中央部には、係止部材４０が取り付けられている。取付部材５０により本体ユニット１０をカバー部材２０に取り付ける際、カバー部材２０は、係止部材４０に係止し、撓みが生じる恐れを抑制することができる。係止部材４０は１つに限らない。複数設けることで係止による効果が高くなる。
【００４０】
カバー部材２０の係止部材４０への係止は次のように行われる。カバー部材２０を係止部材４０の下方向から取り付けると、係止部材４０における係止爪４０ｃの傾斜部にカバー部材２０のカバー爪部２０ｃと弾性部材３５が接触し、カバー爪部２０ｃと弾性部材３５とが外方向（左右方向）へ撓む。カバー爪部２０ｃと弾性部材３５とが係止爪４０ｃの傾斜部を超えた後、カバー爪部２０ｃは撓みが戻り係止爪４０ｃに係止される。
【００４１】
なお、カバー部材２０のカバー爪部２０ｃが撓む材質や構造であれば、弾性部材３５を設けずカバー爪部２０ｃのみでカバー部材２０と係止部材４０との係止が可能である。但し、弾性部材３５を設けることで、係止部材４０への左右方向からの力が加わり、係止効果が増す。
【００４２】
図１１は、係止部材４０を示す図である。図１１（ａ）は斜視図であり、図１１（ｂ）は平面図であり、図１１（ｃ）は左側面図であり、図１１（ｄ）は正面図であり、図１１（ｅ）は右側面図であり、図１１（Ｆ）は底面図である。係止部材４０は、係止上面部４０ａと、係止側面部４０ｂと、係止爪４０ｃと、係止上面爪４０ｄと、ネジ止め部４０ｅとから構成されている。係止爪４０ｃは、係止部材４０の外側方向へ突出している。係止部材４０を本体ユニット１０に取り付ける場合、係止上面爪４０ｄを本体ユニット１０の穴にスライドさせながら挿入し、ネジ止め部４０ｅでネジ止めする。
【００４３】
本実施形態では、係止部材４０とカバー部材２０の係止構造を、それぞれ係止爪４０ｃ、カバー爪部２０ｃのように爪形状としたがこの限りでなく、ばねなどを用いてもよい。
【００４４】
以上のように、本体ユニット１０と、本体ユニット１０に取り付けられるカバー部材４０と、本体ユニット１０とカバー部材４０との間に配置される発光装置２７と、本体ユニット１０に取り付けられる係止部材４０と、を備え、カバー部材２０には、係止部材４０に係止するカバー係止部（カバー爪部２０ｃ）を備えることにより、撓みが生じる恐れを抑制した照明器具を提供することができる。
【符号の説明】
【００４５】
１０，１０Ａ，１０Ｂ  本体ユニット
１１  信号線（第一信号線）
１２  電源端子台
１６  信号接続部（第一信号接続部）
１７  信号コネクタ（第一信号接続部）
１８  コネクタ（第一信号接続部）
２０，２０Ａ，２０Ｂ，２０Ｃ，２０Ｄ，２０Ｅ，２０Ｆ，２０Ｇ  カバー部材
２０ｃ  カバー爪部（カバー係止部）
２２  信号端子台（第二信号接続部）
２３  信号線（第二信号線）
２６  点灯装置（発光装置）
２７  光源ユニット（発光装置）
２８  信号コネクタ（第二信号接続部）
２９  信号線（第二信号線）
３０  コネクタ（第二信号接続部）
４０  係止部材
４０ａ  係止上面部
４０ｂ  係止側面部
４０ｃ  係止爪
４０ｄ  係止上面爪
１５０  天井（支持体）
【図１】
0006607671.tif 000002
【図２】
0006607671.tif 000003
【図３】
0006607671.tif 000004
【図４】
0006607671.tif 000005
【図５】
0006607671.tif 000006
【図６】
0006607671.tif 000007
【図７】
0006607671.tif 000008
【図８】
0006607671.tif 000009
【図９】
0006607671.tif 000010
【図１０】
0006607671.tif 000011
【図１１】
0006607671.tif 000012